(57)【要約】  表示制御システムは、複数のユーザにより視認可能に設けられた第１の表示装置を少なくとも含み、複数のユーザのうちの一のユーザが操作する端末に設けられた第２の表示装置及び第１の表示装置にコンテンツを表示させる表示制御を実施する表示制御システムであって、端末からの、コンテンツの表示を含む処理のリクエストを受け付ける受付手段と、受付手段により受け付けられたリクエストに係るコンテンツを第１の表示装置及び第２の表示装置のいずれに表示させるかに関する情報を所定条件に基づいて取得する取得手段と、取得手段により取得された、コンテンツを表示させる表示装置に関する情報に基づいて、第１の表示装置及び第２の表示装置のいずれかの表示装置にコンテンツを表示させる表示制御手段と、を備える。
2017056322.tif 000002
【特許請求の範囲】
【請求項１】
複数のユーザにより視認可能に設けられた第１の表示装置を少なくとも含み、前記複数のユーザのうちの一のユーザが操作する端末に設けられた第２の表示装置及び前記第１の表示装置にコンテンツを表示させる表示制御を実施する表示制御システムであって、
前記端末からの、コンテンツの表示を含む処理のリクエストを受け付ける受付手段と、
前記受付手段により受け付けられたリクエストに係るコンテンツを前記第１の表示装置及び前記第２の表示装置のいずれに表示させるかに関する情報を所定条件に基づいて取得する取得手段と、
前記取得手段により取得された、前記コンテンツを表示させる表示装置に関する情報に基づいて、前記第１の表示装置及び前記第２の表示装置のいずれかの表示装置に前記コンテンツを表示させる表示制御手段と、
を備える表示制御システム。
【請求項２】
前記表示制御手段は、
前記リクエストが受け付けられる前における前記端末の操作状況を前記第１の表示装置に表示させ、
前記受付手段により前記リクエストが受け付けられた後に、前記取得手段により取得された情報に基づいて前記リクエストに係るコンテンツを前記第２の表示装置に表示させる場合に、前記第１の表示装置に前記操作状況が示されないように表示制御する、
請求項１に記載の表示制御システム。
【請求項３】
前記表示制御手段は、前記受付手段により前記リクエストが受け付けられた後に、前記操作状況とは無関係なダミーの操作状況を示す情報を前記第１の表示装置に表示させる、
請求項２に記載の表示制御システム。
【請求項４】
前記受付手段は、前記端末からの前記リクエストを第１の通信方式により受け付け、
前記表示制御手段は、前記コンテンツを前記第２の表示装置で表示させる場合に、前記第１の通信方式とは異なる第２の通信方式で、前記コンテンツを前記端末に送信する、
請求項１〜３のいずれか一項に記載の表示制御システム。
【請求項５】
前記取得手段は、前記コンテンツを前記第１の表示装置及び前記第２の表示装置のいずれに表示させるかをコンテンツごとに判断可能な設定情報を参照して、前記受付手段により受け付けられたリクエストに係るコンテンツを前記第１の表示装置及び前記第２の表示装置のいずれに表示させるかに関する情報を取得する、
請求項１〜４のいずれか一項に記載の表示制御システム。
【請求項６】
前記第１の表示装置に複数の商品の情報が表示されている場合において、前記受付手段は、前記複数の商品のうちの一の商品に関する情報を含む商品ページの表示のリクエストを取得し、
前記設定情報において、各商品に関する情報を含む商品ページを前記第２の表示装置に表示させることが設定されており、
前記取得手段は、前記一の商品に関する情報を含む商品ページを、前記第２の表示装置に表示させることを示す情報を取得する、
請求項５に記載の表示制御システム。
【請求項７】
前記受付手段は、商品の購入に関するリクエストを取得し、
前記設定情報において、商品の購入処理における、ユーザを識別可能な情報を入力させる入力画面を前記第２の表示装置に表示させることが設定されており、
前記取得手段は、ユーザを識別可能な情報を該ユーザに入力させるための入力画面を、前記第２の表示装置に表示させることを示す情報を取得する、
請求項５または６に記載の表示制御システム。
【請求項８】
前記設定情報において、特別な表示をさせる特別コンテンツについて、前記端末を介した表示制御が可能な第３の表示装置が存在する場合には前記特別コンテンツを該第３の表示装置に表示させ、該第３の表示装置が存在しない場合には前記特別コンテンツを前記第２の表示装置に表示させることが設定されており、
前記取得手段は、前記受付手段により取得されたリクエストに係るコンテンツが前記特別コンテンツに該当する場合には、該コンテンツを第２の表示装置または第３の表示装置に表示させることを示す情報を取得し、
前記表示制御手段は、前記端末に、前記第３の表示装置の有無に応じて、前記コンテンツを第２の表示装置または第３の表示装置に表示させる、
請求項５〜７のいずれか一項に記載の表示制御システム。
【請求項９】
複数のユーザにより視認可能に設けられた第１の表示装置を少なくとも含み、前記複数のユーザのうちの一のユーザが操作する端末に設けられた第２の表示装置及び前記第１の表示装置にコンテンツを表示させる表示制御を実施する表示制御システムにおける表示制御方法であって、
前記端末からの、コンテンツの表示を含む処理のリクエストを受け付ける受付ステップと、
前記受付ステップにおいて受け付けられたリクエストに係るコンテンツを前記第１の表示装置及び前記第２の表示装置のいずれに表示させるかに関する情報を所定条件に基づいて取得する取得ステップと、
前記取得ステップにおいて取得された、前記コンテンツを表示させる表示装置に関する情報に基づいて、前記第１の表示装置及び前記第２の表示装置のいずれかの表示装置に前記コンテンツを表示させる表示制御ステップと、
を有する表示制御方法。
【請求項１０】
コンピュータを、複数のユーザにより視認可能に設けられた第１の表示装置を少なくとも含み、前記複数のユーザのうちの一のユーザが操作する端末に設けられた第２の表示装置及び前記第１の表示装置にコンテンツを表示させる表示制御を実施する表示制御システムとして機能させる表示制御プログラムであって、
前記端末からの、コンテンツの表示を含む処理のリクエストを受け付ける受付手段、
前記受付手段により受け付けられたリクエストに係るコンテンツを前記第１の表示装置及び前記第２の表示装置のいずれに表示させるかに関する情報を所定条件に基づいて取得する取得手段、及び
前記取得手段により取得された、前記コンテンツを表示させる表示装置に関する情報に基づいて、前記第１の表示装置及び前記第２の表示装置のいずれかの表示装置に前記コンテンツを表示させる表示制御手段、
として機能させる表示制御プログラム。
【発明の詳細な説明】
【技術分野】
【０００１】
本発明の一側面は、表示制御システム、表示制御方法及び表示制御プログラムに関する。
【背景技術】
【０００２】
複数の人が視認可能な環境に表示装置を設け、コンテンツを表示装置に表示させることが行われている。このような表示装置にコンテンツを表示させるシステムは、例えば、デジタルサイネージと称され、複数の商品広告等の表示に用いられる。また、モバイル機器（端末）の操作により、複数のユーザが見ることができる大型のディスプレイ上のコンテンツの表示領域の操作及び選択が可能なシステムが知られている（例えば、特許文献１参照）。
【先行技術文献】
【特許文献】
【０００３】
【特許文献１】特開２０１１−５４１６２号公報
【発明の概要】
【発明が解決しようとする課題】
【０００４】
デジタルサイネージに表示されたコンテンツを複数のユーザのそれぞれが操作可能に構成されたシステムでは、他のユーザに見られたくないプライベートの情報や秘匿性を必要とする情報がデジタルサイネージに表示され、他のユーザに見られる可能性がある。【０００５】
そこで本発明の一側面は、複数のユーザが視認可能に設けられた表示装置に表示されたコンテンツを複数のユーザが操作しうるシステムにおいて、他のユーザに見られたくない情報を、他のユーザに見られないようにすることを目的とする。
【課題を解決するための手段】
【０００６】
上記課題を解決するために、本発明の一形態に係る表示制御システムは、複数のユーザにより視認可能に設けられた第１の表示装置を少なくとも含み、複数のユーザのうちの一のユーザが操作する端末に設けられた第２の表示装置及び第１の表示装置にコンテンツを表示させる表示制御を実施する表示制御システムであって、端末からの、コンテンツの表示を含む処理のリクエストを受け付ける受付手段と、受付手段により受け付けられたリクエストに係るコンテンツを第１の表示装置及び第２の表示装置のいずれに表示させるかに関する情報を所定条件に基づいて取得する取得手段と、取得手段により取得された、コンテンツを表示させる表示装置に関する情報に基づいて、第１の表示装置及び第２の表示装置のいずれかの表示装置にコンテンツを表示させる表示制御手段と、を備える。【０００７】
本発明の一形態に係る表示制御方法は、複数のユーザにより視認可能に設けられた第１の表示装置を少なくとも含み、複数のユーザのうちの一のユーザが操作する端末に設けられた第２の表示装置及び第１の表示装置にコンテンツを表示させる表示制御を実施する表示制御システムにおける表示制御方法であって、端末からの、コンテンツの表示を含む処理のリクエストを受け付ける受付ステップと、受付ステップにおいて受け付けられたリクエストに係るコンテンツを第１の表示装置及び第２の表示装置のいずれに表示させるかに関する情報を所定条件に基づいて取得する取得ステップと、取得ステップにおいて取得された、コンテンツを表示させる表示装置に関する情報に基づいて、第１の表示装置及び第２の表示装置のいずれかの表示装置にコンテンツを表示させる表示制御ステップと、を有する。【０００８】
本発明の一形態に係る表示制御プログラムは、コンピュータを、複数のユーザにより視認可能に設けられた第１の表示装置を少なくとも含み、複数のユーザのうちの一のユーザが操作する端末に設けられた第２の表示装置及び第１の表示装置にコンテンツを表示させる表示制御を実施する表示制御システムとして機能させる表示制御プログラムであって、端末からの、コンテンツの表示を含む処理のリクエストを受け付ける受付手段、受付手段により受け付けられたリクエストに係るコンテンツを第１の表示装置及び第２の表示装置のいずれに表示させるかに関する情報を所定条件に基づいて取得する取得手段、及び取得手段により取得された、コンテンツを表示させる表示装置に関する情報に基づいて、第１の表示装置及び第２の表示装置のいずれかの表示装置にコンテンツを表示させる表示制御手段、として機能させる。【０００９】
上記側面によれば、ユーザの端末からのリクエストに係るコンテンツが、第１及び第２の表示装置のいずれに表示させるかに関する情報が取得され、取得された情報に基づいて、第１及び第２の表示装置のいずれかにそのコンテンツが表示される。これにより、適切な所定条件を設定しておくことにより、他のユーザに見られたくないコンテンツを第１の表示装置ではなく、第２の表示装置に表示させることができる。従って、他のユーザに見られたくないコンテンツを、他のユーザに見られないようにすることが可能となる。【００１０】
別の側面に係る表示制御システムでは、表示制御手段は、リクエストが受け付けられる前における端末の操作状況を第１の表示装置に表示させ、受付手段によりリクエストが受け付けられた後に、取得手段により取得された情報に基づいてリクエストに係るコンテンツを第２の表示装置に表示させる場合に、第１の表示装置に操作状況が示されないように表示制御することとしてもよい。【００１１】
上記側面によれば、コンテンツを第２の表示装置に表示させる場合に、ユーザによる端末の操作状況が、他のユーザが視認可能な第１の表示装置に示されないように制御される。従って、確実にユーザのプライバシーが保たれる。【００１２】
さらに別の側面に係る表示制御システムでは、表示制御手段は、受付手段によりリクエストが受け付けられた後に、操作状況とは無関係なダミーの操作状況を示す情報を第１の表示装置に表示させることとしてもよい。【００１３】
この側面によれば、コンテンツを第２の表示装置に表示させる場合に、当該コンテンツのリクエストに係る操作状況が第１の表示装置に表示されずに、ダミーの情報が表示されるので、ユーザによるリクエストの操作状況を秘匿できる。従って、ユーザのプライバシーをより確実に担保することができる。【００１４】
さらに別の側面に係る表示制御システムでは、受付手段は、端末からのリクエストを第１の通信方式により受け付け、表示制御手段は、コンテンツを第２の表示装置で表示させる場合に、第１の通信方式とは異なる第２の通信方式で、コンテンツを端末に送信することとしてもよい。【００１５】
上記側面によれば、端末からのリクエストに係るコンテンツを第２の表示装置に表示させる場合に、当該リクエストに用いられた第１の通信方式とは異なる第２の通信方式により、コンテンツが端末に送信されるので、リクエストに係る通信方式と、コンテンツの送信に係る通信方式とを異ならせることにより、コンテンツを保護することができる。【００１６】
さらに別の側面に係る表示制御システムでは、取得手段は、コンテンツを第１の表示装置及び第２の表示装置のいずれに表示させるかをコンテンツごとに判断可能な設定情報を参照して、受付手段により受け付けられたリクエストに係るコンテンツを第１の表示装置及び第２の表示装置のいずれに表示させるかに関する情報を取得することとしてもよい。【００１７】
上記側面によれば、設定情報において、他のユーザに見られたくないコンテンツが第２の表示装置に表示されるように設定しておくことにより、そのようなコンテンツを第１の表示装置ではなく、第２の表示装置に表示させることができる。従って、他のユーザに見られたくないコンテンツを、他のユーザに見られないようにするための制御を容易に行うことが可能となる。【００１８】
さらに別の側面に係る表示制御システムでは、第１の表示装置に複数の商品の情報が表示されている場合において、受付手段は、複数の商品のうちの一の商品に関する情報を含む商品ページの表示のリクエストを取得し、設定情報において、各商品に関する情報を含む商品ページを第２の表示装置に表示させることが設定されており、取得手段は、一の商品に関する情報を含む商品ページを、第２の表示装置に表示させることを示す情報を取得することとしてもよい。【００１９】
この側面によれば、ユーザが第１の表示装置に表示された複数の商品から選択した商品の商品ページが第２の表示装置に表示されるので、ユーザが、どの商品を選択したかを他のユーザに知られないようすることができる。【００２０】
さらに別の側面に係る表示制御システムでは、受付手段は、商品の購入に関するリクエストを取得し、設定情報において、商品の購入処理における、ユーザを識別可能な情報を入力させる入力画面を第２の表示装置に表示させることが設定されており、取得手段は、ユーザを識別可能な情報を該ユーザに入力させるための入力画面を、第２の表示装置に表示させることを示す情報を取得することとしてもよい。【００２１】
この側面によれば、商品の購入処理において、ユーザを識別可能な情報を入力させる入力画面が第２の表示装置に表示されるので、秘匿が必要であるプライベートな情報が他のユーザに見られることを防止できる。【００２２】
さらに別の側面に係る表示制御システムでは、設定情報において、特別な表示をさせる特別コンテンツについて、端末を介した表示制御が可能な第３の表示装置が存在する場合には特別コンテンツを該第３の表示装置に表示させ、該第３の表示装置が存在しない場合には特別コンテンツを第２の表示装置に表示させることが設定されており、取得手段は、受付手段により取得されたリクエストに係るコンテンツが特別コンテンツに該当する場合には、該コンテンツを第２の表示装置または第３の表示装置に表示させることを示す情報を取得し、表示制御手段は、端末に、第３の表示装置の有無に応じて、コンテンツを第２の表示装置または第３の表示装置に表示させることとしてもよい。【００２３】
この側面によれば、端末を介して表示制御される第３の表示装置が存在する場合に、特別コンテンツが第３の表示装置に表示される。これにより、第３の表示装置を、第２の表示装置に比べて、より他人に見られにくい装置により構成することにより、特別コンテンツのプライバシーをより確実に保つことが可能となる。
【発明の効果】
【００２４】
本発明の一側面によれば、複数のユーザが視認可能に設けられた表示装置に表示されたコンテンツを複数のユーザが操作しうるシステムにおいて、他のユーザに見られたくない情報を、他のユーザに見られないようにすることが可能となる。
【図面の簡単な説明】
【００２５】
【図１】本実施形態に係る表示制御システムの装置構成を示す図である。
【図２】表示制御装置の機能的構成を示すブロック図である。
【図３】表示制御装置のハードウェア構成を示す図である。
【図４】端末の機能的構成を示すブロック図である。
【図５】設定情報記憶部の構成及び記憶されているデータの例を示す図である。
【図６】表示装置（デジタルサイネージ）に表示されたコンテンツの例を示す図である。
【図７】端末の表示装置に表示されたコンテンツの例を示す図である。
【図８】表示装置に表示されたコンテンツの例であって、カーソルの表示制御の例を示す図である。
【図９】表示装置に表示されたコンテンツの例であって、カーソルの表示制御の例を示す図である。
【図１０】表示装置（デジタルサイネージ）に表示されたコンテンツの例を示す図である。
【図１１】端末の表示装置に表示されたコンテンツの例を示す図である。
【図１２】表示制御システムの装置構成の変形例を示す図である。
【図１３】表示制御方法の処理内容の例を示すフローチャートである。
【図１４】表示制御方法の処理内容の変形例を示すフローチャートである。
【図１５】表示制御プログラムの構成を示す図である。
【発明を実施するための形態】
【００２６】
以下、添付図面を参照しながら本発明の実施形態を詳細に説明する。なお、図面の説明において同一又は同等の要素には同一の符号を付し、重複する説明を省略する。
【００２７】
図１は、本実施形態に係る表示制御システムの装置構成を示す図である。表示制御システム１は、複数のユーザにより視認可能に設けられた第１の表示装置を少なくとも含み、複数のユーザのうちの一のユーザが操作する端末に設けられた第２の表示装置及び第１の表示装置にコンテンツを表示させる表示制御を実施する。図１に示すように、本実施形態の表示制御システム１は、表示制御装置１０，表示装置Ｄ１、電子商取引サーバ５０を含む。表示制御装置１０及び電子商取引サーバ５０は、ネットワークＮを介して、複数の端末Ｔと通信可能である。
【００２８】
表示装置Ｄ１（第１の表示装置）は、複数の端末Ｔのユーザが視認可能な場所に設けられる装置であって、例えば、デジタルサイネージを構成する。デジタルサイネージは、画像及び文字等の情報を表示して、多くのユーザに情報を提供するためのものである。本実施形態では、表示装置Ｄ１により構成されるデジタルサイネージは、端末Ｔのユーザに種々の情報を提供する。
【００２９】
表示制御装置１０は、表示装置Ｄ１の表示制御を行う。具体的には、表示制御装置１０は、表示装置Ｄ１に種々のコンテンツを表示させることができる。また、本実施形態の表示制御装置１０は、端末Ｔのウェブブラウザにコンテンツを提供するウェブサーバとしての機能を有する。即ち、表示制御装置１０は、端末Ｔにおける指示入力を受け付けると共に、端末Ｔに設けられたディスプレイ（第２の表示装置）にコンテンツを表示させることができる。端末Ｔにおける指示入力は、例えばタッチパネルにより構成される表示装置に対する入力である。なお、本実施形態では、表示制御装置１０がウェブサーバとしての機能を有することとしているが、ネットワークを介して表示制御装置１０及び端末Ｔと通信可能な別のサーバにウェブサーバとしての機能が構成されてもよい。
【００３０】
電子商取引サーバ５０は、商品の販売等のサービスを提供する電子商取引サイトを構成するサーバであって、種々の商品に関する商品情報及び商品の画像等を有する。本実施形態では、電子商取引サーバ５０は、商品情報及び商品画像等を表示制御装置１０に提供する。また、電子商取引サーバ５０は、電子商取引サイトとして、端末Ｔからのリクエストに応じて商品の情報を提供したり、商品の購入処理を受け付けることができる。
【００３１】
端末Ｔは、ユーザにより所持される装置であって、例えば、デジタルサイネージに表示されたコンテンツに対する指示入力を表示制御装置１０に送信する。また、端末Ｔは、表示制御装置１０から提供されたコンテンツをディスプレイに表示させる。
【００３２】
端末Ｔは、例えば高機能携帯電話機（スマートフォン）により構成されるが、端末Ｔを構成する装置は限定されず、例えば携帯電話機、携帯情報端末（ＰＤＡ）などの携帯端末、据置型又は携帯型のパーソナルコンピュータでもよい。なお、図１では、３台の端末Ｔが示されているが、端末Ｔの数はこれに限定されない。
【００３３】
図２は、表示制御装置１０の機能的構成を示すブロック図である。表示制御装置１０は、例えば、サーバにより構成される。
【００３４】
本実施形態の表示制御装置１０は、図２に示すように、機能的には、受付部１１（受付手段）、取得部１２（取得手段）及び表示制御部１３（表示制御手段）を備える。また、表示制御装置１０の各機能部は、設定情報記憶部１５といった記憶手段にアクセス可能である。設定情報記憶部１５は、表示制御装置１０によりネットワークＮを介してアクセスされることとしてもよいし、表示制御装置１０内に設けられることとしてもよい。
【００３５】
図３は、表示制御装置１０のハードウェア構成図である。表示制御装置１０は、物理的には、図３に示すように、プロセッサにより構成されるＣＰＵ１０１、ＲＡＭ及びＲＯＭといったメモリにより構成される主記憶装置１０２、ハードディスク等で構成される補助記憶装置１０３、ネットワークカード等で構成される通信制御装置１０４、入力デバイスであるキーボード、マウス等の入力装置１０５、ディスプレイ等の出力装置１０６などを含むコンピュータシステムとして構成されている。
【００３６】
図２に示した各機能は、図３に示すＣＰＵ１０１、主記憶装置１０２等のハードウェア上に所定のコンピュータソフトウェア（表示制御プログラム）を読み込ませることにより、ＣＰＵ１０１の制御のもとで通信制御装置１０４、入力装置１０５、出力装置１０６を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。
【００３７】
図４は、端末Ｔの機能的構成を示すブロック図である。端末Ｔは、指示入力受付部３１、設定情報送信部３２、リクエスト送信部３３、コンテンツ受信部３４、表示制御部３５及びディスプレイＤ２を備える。
【００３８】
まず、本実施形態の表示制御システム１を概略的に説明する。本実施形態の表示制御システム１では、表示制御装置１０は、デジタルサイネージを構成する表示装置Ｄ１に複数の商品画像の一覧をコンテンツとして表示させる。具体的には、電子商取引サーバ５０は種々の商品情報及び商品画像等を有しているので、表示制御部１３は、電子商取引サーバ５０から商品情報及び商品画像を複数取得して、表示装置Ｄ１に表示させる。図５は、表示装置Ｄ１に表示された画面の例を示す図である。表示画面ＤＳは、例えば、複数の商品画像Ｍを含む。
【００３９】
表示装置Ｄ１に表示された表示画面ＤＳを視聴しているユーザは、自分が所持する端末Ｔを用いて表示制御装置１０にアクセスすることにより、表示画面ＤＳに表示された商品に関するコンテンツを表示画面ＤＳに表示させたり、端末Ｔに表示させたりすることができる。
【００４０】
端末Ｔにおける表示制御装置１０へのアクセスは、例えば端末Ｔにおいて実行されるブラウザにより実現される。端末Ｔのブラウザは、表示制御装置１０に対するアクセスを行う。具体的には、端末Ｔのブラウザは、本実施形態の表示制御システムによる商品に関する情報の提供等のサービスを特定するＵＲＬにアクセスする。このＵＲＬは、種々の方法により端末Ｔに提供される。例えば、ＵＲＬを示すＱＲコード（登録商標）を表示装置Ｄ１の表示画面に表示させ、表示されたＱＲコードを端末Ｔが読み取ることにより、端末ＴはＵＲＬを取得する。
【００４１】
また、ＵＲＬを表す情報が重畳された音声を、表示装置Ｄ１の近傍において発生させることにより、端末ＴにＵＲＬを取得させることとしてもよい。また、端末Ｔから所定の電話番号に対するアクセスを行うと、そのアクセスに呼応してＳＭＳ（Ｓｈｏｒｔ  Ｍｅｓｓａｇｅ  Ｓｅｒｖｉｃｅ）等の通知手段により端末ＴにＵＲＬが提供されることとしてもよい。
【００４２】
また、表示装置Ｄ１の近傍に存在する端末Ｔに対して、ブルートゥース（Ｂｌｕｅｔｏｏｔｈ）（登録商標）等の近距離無線通信により、ＵＲＬが提供されることとしてもよい。この場合には、端末Ｔは、近距離無線通信により表示制御装置１０を識別するＩＤを取得する。そして、端末Ｔは、取得したＩＤに基づいて、当該表示制御システムに係るサービスを利用するためのアプリケーションにおいて管理されているＩＤとＵＲＬの関連付けを参照して、ＵＲＬを取得できる。
【００４３】
なお、上記説明では、端末Ｔは、ブラウザにおいて実行されるブラウザアプリケーションにより表示制御装置１０に対してアクセスすることとしているが、専用のアプリケーションにより表示制御装置１０に対するアクセスを行うこととしてもよい。端末Ｔは、例えばＷｉ−Ｆｉといった通信方式を介して、表示制御装置１０にアクセスする。また、端末Ｔは、ブルートゥース（Ｂｌｕｅｔｏｏｔｈ）（登録商標）等の近距離無線通信により、表示制御装置１０にアクセスすることとしてもよく、端末Ｔと表示制御装置１０とのアクセスの通信方式は限定されない。
【００４４】
再び図２を参照して、表示制御装置１０に各機能部の説明に先立って、設定情報記憶部１５を説明する。
【００４５】
設定情報記憶部１５は、設定情報を記憶している記憶手段である。設定情報は、ユーザの端末Ｔからのリクエストに係るコンテンツを表示させる表示装置をコンテンツごとに判定するために参照される情報である。図６は、設定情報記憶部１５の構成及び記憶されているデータの例を示す図である。
【００４６】
図６に示すように、設定情報記憶部１５は、コンテンツを表示させる表示装置を判断するための設定情報をユーザごとに対応付けて記憶している。本実施形態の例では、コンテンツごとに、１（ｐｕｂｌｉｃ）、２（ｐｒｉｖａｔｅ）及び２＋（ｐｒｉｖａｔｅ＋）のいずれかの設定情報が設定されている。設定情報「１（ｐｕｂｌｉｃ）」は、当該コンテンツが、他人が視認可能な表示装置に表示させるコンテンツであることを意味する。設定情報「１（ｐｕｂｌｉｃ）」が設定されたコンテンツは、本実施形態では、デジタルサイネージを構成する表示装置Ｄ１に表示される。
【００４７】
設定情報「２（ｐｒｉｖａｔｅ）」及び「２＋（ｐｒｉｖａｔｅ＋）」は、当該コンテンツが、他人が視認できないような表示装置に表示させるコンテンツであることを意味する。設定情報「２（ｐｒｉｖａｔｅ）」が設定されたコンテンツは、本実施形態では、ユーザの端末Ｔのディスプレイに表示される。
【００４８】
設定情報「２＋（ｐｒｉｖａｔｅ＋）」が設定されたコンテンツは、設定情報「２（ｐｒｉｖａｔｅ）」よりもさらに私的なコンテンツであって、より秘匿性が高められた状態で表示されることが好ましいコンテンツである。設定情報「２＋（ｐｒｉｖａｔｅ＋）」が設定されたコンテンツは、本実施形態では、後述するように、端末ＴのディスプレイＤ２よりもさらに他人に見られる可能性が低いグラス型ディスプレイに表示される。
【００４９】
例えば、ユーザＡに関して、商品一覧ページには、設定情報「１（ｐｕｂｌｉｃ）」が設定されているので、ユーザＡの端末Ｔからのリクエストに基づく商品一覧ページは、デジタルサイネージを構成する表示装置Ｄ１に表示される。また、ユーザＡに関して、商品ページ、認証画面及び購入手続ページには、設定情報「２（ｐｒｉｖａｔｅ）」が設定されているので、ユーザＡの端末Ｔからのリクエストに基づく商品ページ、認証画面及び購入手続ページは、ユーザＡの端末ＴのディスプレイＤ２に表示される。
【００５０】
設定情報記憶部１５に記憶されている設定情報は、予め設定されて記憶されていることとしてもよいし、表示制御装置１０が端末Ｔからのアクセスを受け付けたときに、端末Ｔの設定情報送信部３２から表示制御装置１０に送信されることとしてもよい。
【００５１】
続いて、表示制御装置１０の各機能部を説明する。受付部１１は、端末Ｔからの、コンテンツの表示を含む処理のリクエストを受け付ける部分である。リクエストは、後述するように、端末Ｔのリクエスト送信部３３により送信される。リクエストは、例えば、表示装置Ｄ１に複数の商品の情報が表示されている場合において、複数の商品のうちの一の商品の商品ページの表示である。この場合には、商品ページがコンテンツとして表示装置に表示される。また、リクエストは、選択された商品の購入処理であってもよい。この場合には、購入処理のための画面がコンテンツとして表示される。また、リクエストは、商品の購入に際しての電子商取引サイトへのログイン処理であってもよい。この場合には、ログイン画面がコンテンツとして表示される。
【００５２】
取得部１２は、受付部１１により受け付けられたリクエストに係るコンテンツを第１の表示装置及び第２の表示装置のいずれに表示させるかに関する情報を所定条件に基づいて取得する部分である。本実施形態では、取得部１２は、設定情報を参照して、受付部１１により受け付けられたリクエストに係るコンテンツを表示装置Ｄ１及び端末ＴのディスプレイＤ２のいずれに表示させるかに関する情報を取得する。具体的には、取得部１２は、前述のとおり、設定情報記憶部１５に記憶された設定情報を参照して、コンテンツを表示させる表示装置を判断する。
【００５３】
表示制御部１３は、取得部１２により取得された、コンテンツを表示させる表示装置に関する情報に基づいて、第１の表示装置及び第２の表示装置のいずれかの表示装置にコンテンツを表示させる部分である。本実施形態では、表示制御部１３は、取得部１２により判断された表示装置にコンテンツを表示させる。
【００５４】
続いて、図４を参照して、端末Ｔの各機能部を説明する。指示入力受付部３１は、表示装置Ｄ１に表示された複数の商品画像Ｍのいずれかに対する指示入力を受け付ける。具体的には、端末Ｔのユーザが端末Ｔを操作すると、その操作情報が表示制御装置１０に送信されることにより、表示装置Ｄ１に表示されたカーソルＣの位置を移動させることができる。そして、指示入力受付部３１は、カーソルによる一の商品画像Ｍに対する指示を示す指示入力を受け付ける。また、指示入力受付部３１は、その他の、入力操作を受け付けることができる。
【００５５】
設定情報送信部３２は、所定の契機で、設定情報を表示制御装置１０に送信する。所定の契機は、例えば、本実施形態の表示制御システム１が提供するサービスを特定する所定のＵＲＬに端末Ｔがアクセスしたとき、所定の近距離無線通信により当該表示制御システム１との通信が確立されたとき、ＧＰＳ等により測位された端末Ｔの位置情報が表示装置Ｄ１から所定の距離以内の場所に含まれることとなったとき等であってもよい。
【００５６】
リクエスト送信部３３は、種々のリクエストを表示制御装置１０に送信する。リクエストは、前述の通り、商品ページの表示、商品の購入処理、ログイン処理等であってもよい。
【００５７】
コンテンツ受信部３４は、表示制御装置１０から送信されたコンテンツを受信する。また、コンテンツ受信部３４は、電子商取引サーバ５０から送信されたコンテンツを受信してもよい。受信されるコンテンツは、例えば商品画像Ｍ、商品ページ、購入処理のための画面、ログイン処理のための画面等である。
【００５８】
表示制御部３５は、コンテンツ受信部３４により受信されたコンテンツを端末ＴのディスプレイＤ２に表示させる。また、表示制御部３５は、表示装置Ｄ１に表示された商品画像Ｍを指示するカーソルＣを操作するためのユーザインターフェース画面をディスプレイに表示させてもよい。
【００５９】
ディスプレイＤ２は、例えば、タッチパネルにより構成され、種々のコンテンツ、カーソルＣを操作するためのインターフェース画面等を表示する。
【００６０】
以下、図７〜図９を参照して、本実施形態の表示制御システム１における処理の例を具体的に説明する。
【００６１】
表示装置Ｄ１に、図５に示すような、複数の商品画像Ｍを含む商品一覧が表示されている場合に、ユーザＡは、自身の端末Ｔに指示入力を行うことにより、表示装置Ｄ１に表示されたカーソルＣを操作することができる。そして、ユーザＡは、商品Ｍ１の詳細な情報の取得するために、端末Ｔを操作して、カーソルＣを商品Ｍ１の画像に重畳させ、所定の指示入力を行うことにより、商品Ｍ１の商品ページの表示をリクエストすることができる。即ち、端末Ｔの指示入力受付部３１は、商品Ｍ１の選択の指示入力を受け付け、リクエスト送信部３３は、商品Ｍ１の商品ページの表示のリクエストを表示制御装置１０に送信する。
【００６２】
端末Ｔからリクエストが送信されると、表示制御装置１０の受付部１１は、そのリクエストを受け付ける。このリクエストがユーザＡからのものであり、リクエストの内容が商品ページをコンテンツとして表示することであるので、取得部１２は、設定情報記憶部１５に設定された設定情報において、「ユーザＡ」からの「商品ページ」には２（ｐｒｉｖａｔｅ）が設定されているので、商品ページをユーザＡの端末ＴのディスプレイＤ２に表示することを判断する。
【００６３】
表示制御部１３は、商品Ｍ１の商品ページをユーザＡの端末ＴのディスプレイＤ２に表示させる。図７は、端末ＴのディスプレイＤ２に表示された商品ページＡ１を示す図である。具体的には、表示制御部１３は、電子商取引サーバ５０から、商品Ｍ１の商品ページＡ１を取得して、端末Ｔに送信して、ディスプレイＤ２に表示させる制御を行う。端末Ｔのコンテンツ受信部３４は、表示制御部１３から送信された商品ページＡ１の情報を受信する。そして、端末Ｔの表示制御部３５は、受信した商品ページＡ１の情報を用いて、商品ページＡ１をディスプレイＤ２に表示する。
【００６４】
なお、この例では、表示制御装置１０が電子商取引サーバ５０から取得した商品ページの情報を端末Ｔに送信して、端末にＴに商品ページを表示させることとしているが、例えば、表示制御装置１０の表示制御部１３が、端末Ｔに対して、電子商取引サーバ５０から商品ページの情報を取得するように指示情報を送信し、端末Ｔの表示制御部３５が、その指示情報に基づいて電子商取引サーバ５０から商品ページの情報を取得して、ディスプレイＤ２に表示することとしてもよい。また、表示制御装置１０の表示制御部１３が、電子商取引サーバ５０に対して、商品ページの情報を端末Ｔに送信させる指示情報を送信することにより、商品ページをディスプレイＤ２に表示させることが実現されてもよい。
【００６５】
また、表示装置Ｄ１に、複数の商品画像Ｍを含む商品一覧が表示されている場合に（図５参照）、ユーザＢの端末Ｔにより、商品Ｍ１の商品ページの表示のリクエストが行われた例を、図８を参照して説明する。即ち、ユーザＢの端末Ｔの指示入力受付部３１は、商品Ｍ１の選択の指示入力を受け付け、リクエスト送信部３３は、商品Ｍ１の商品ページの表示のリクエストを表示制御装置１０に送信する。
【００６６】
端末Ｔからリクエストが送信されると、表示制御装置１０の受付部１１は、そのリクエストを受け付ける。このリクエストがユーザＢからのものであり、リクエストの内容が商品ページをコンテンツとして表示することであるので、取得部１２は、設定情報記憶部１５に設定された設定情報において、「ユーザＢ」からの「商品ページ」には１（ｐｕｂｌｉｃ）が設定されているので、商品ページをデジタルサイネージとして構成される表示装置Ｄ１に表示することを判断する。
【００６７】
表示制御部１３は、商品Ｍ１の商品ページを表示装置Ｄ１に表示させる。図８は、表示装置Ｄ１（デジタルサイネージ）に表示された商品ページＡ２を示す図である。具体的には、表示制御部１３は、電子商取引サーバ５０から、商品Ｍ１の商品ページＡ２を取得して、表示装置Ｄ１に表示させる制御を行う。
【００６８】
ユーザの端末Ｔにより、表示装置Ｄ１または端末ＴのディスプレイＤ２に表示された商品の購入に関するリクエストが行われた場合におけるコンテンツの表示の例を、図９を参照して説明する。例えば、ユーザＡにより端末Ｔに対して商品の購入のための操作が行われると、ユーザＡの端末Ｔのリクエスト送信部３３は、商品の購入処理のリクエストを、表示制御装置１０に送信する。
【００６９】
ここで、ユーザＡが電子商取引サーバ５０により構成される電子商取引サイトに未ログインである場合には、ログインのための認証処理を実施する必要がある。まず、表示制御装置１０の受付部１１が、端末Ｔからの商品の購入処理のリクエストを受け付ける。このリクエストがユーザＡからのものであり、リクエストの内容が商品の購入処理であって、認証処理を必要とするので、取得部１２は、設定情報記憶部１５に設定された設定情報において、「ユーザＡ」からの「認証画面」には２（ｐｒｉｖａｔｅ）が設定されているので、ログインのための認証画面をユーザＡの端末ＴのディスプレイＤ２に表示することを判断する。図９は、端末ＴのディスプレイＤ２に表示された認証画面Ａ３を示す図である。図９に示すように、表示制御部１３は、ユーザＡのログインのための認証画面Ａ３をユーザＡの端末ＴのディスプレイＤ２に表示させる。
【００７０】
ここで、表示装置Ｄ１（デジタルサイネージ）に表示されたコンテンツ（例えば商品一覧（図５））上において、端末Ｔの操作によりリクエストを行った場合における表示制御の処理について、図１０及び図１１を参照して説明する。
【００７１】
表示装置Ｄ１に、図５に示すような、複数の商品画像Ｍを含む商品一覧が表示されている場合に、前述のとおり、ユーザＡは、商品Ｍ１の詳細な情報を取得するために、端末Ｔを操作して、カーソルＣを商品Ｍ１の画像に重畳させ、所定の指示入力（例えばクリック操作）を行うことにより、商品Ｍ１の商品ページの表示をリクエストすることができる。
【００７２】
具体的には、表示制御部１３は、商品ページの表示のリクエストが受け付けられる前において、端末Ｔの操作状況を表示装置Ｄ１に表示させる。即ち、表示制御部１３は、リクエストの受け付けに至る前において、カーソルＣの操作状況を表示装置Ｄ１に表示させる。なお、他のリクエストを受け付けた後であって当該他のリクエストに係るコンテンツが表示装置Ｄ１に表示されている時にも、表示制御部１３は、端末Ｔの操作状況を表示装置Ｄ１に表示させる。
【００７３】
続いて、商品ページの表示のリクエストが端末Ｔから送信されると、設定情報記憶部１５に設定された設定情報において、「ユーザＡ」からの「商品ページ」には２（ｐｒｉｖａｔｅ）が設定されているので、取得部１２は、商品ページをユーザＡの端末ＴのディスプレイＤ２に表示することを判断する。
【００７４】
そして、表示制御部１３は、商品Ｍ１の商品ページをユーザＡの端末ＴのディスプレイＤ２に表示させる。このとき、表示制御部１３は、リクエストが受け付けられた後において、ユーザＡからのリクエストに関する操作状況が、表示装置Ｄ１に示されないように制御する。具体的には、図１０に示すように、表示制御部１３は、商品Ｍ１を選択した操作状況を示すカーソルＣを、カーソル跡Ｃｕに示されるように、消去する。このように表示制御することにより、ユーザＡが商品Ｍ１を選択して商品ページの表示をリクエストしたことが秘匿されるので、ユーザのプライバシーを保つことが可能となる。
【００７５】
また、図１１に示すように、表示制御部１３は、商品Ｍ１を選択した操作状況を示すカーソルＣに代えて、ダミーの操作状況を示す情報であるダミーカーソルを表示装置Ｄ１に表示させてもよい。このように、表示制御することにより、ユーザによるリクエストの操作状況を秘匿できる。従って、ユーザのプライバシーをより確実に担保することができる。
【００７６】
表示装置Ｄ１に、図５に示すような、複数の商品画像Ｍを含む商品一覧が表示されている場合に、ユーザは、自身の端末Ｔに指示入力を行うことにより、表示装置Ｄ１に表示されたカーソルＣを操作することができる。また、端末Ｔは、コンテンツの表示を含む処理のリクエストを、表示制御装置１０に送信することができる。これらの、カーソルＣの操作及びリクエストのための端末Ｔと表示制御装置１０との間の通信は、所定の第１の通信方式により行われる。そして、取得部１２が、リクエストに係るコンテンツを端末ＴのディスプレイＤ２に表示させることを判断した場合に、表示制御部１３は、第１の通信方式とは異なる第２の通信方式により、表示させるコンテンツを端末Ｔに送信することとしてもよい。
【００７７】
第１の通信方式は、例えば、ブルートゥース（Ｂｌｕｅｔｏｏｔｈ）（登録商標）等の近距離無線通信である。この場合には、第２の通信方式は、Ｗｉ−Ｆｉ、いわゆる４Ｇと呼称される通信システムに例示されるような移動通信システム等であってもよい。また、第１の通信方式をＨＴＴＰプロトコルによるＷｉ−Ｆｉ通信とした場合には、第２の通信方式は、ＨＴＴＰＳプロトコルによるＷｉ−Ｆｉ通信としてもよい。即ち、ユーザに関するプライベートな情報を第２の通信方式により送受信させるので、第２の通信方式には、第１の通信方式に比べて、より安全性が高い通信方式を適用することが好ましい。第２の通信方式には、例えば、暗号化通信方式が適用される。このように、第１の通信方式と第２の通信方式とで、通信方式を異ならせることにより、プライベートな情報を含むコンテンツの通信を保護することができる。
【００７８】
なお、本実施形態では、取得部１２が、設定情報記憶部１５に記憶された設定情報を参照して、コンテンツを表示させる表示装置を判断することとしているが、それには限定されない。例えば、取得部１２は、表示制御装置１０以外の他の装置により判断された、コンテンツを表示させる表示装置に関する判断結果を取得することとしてもよい。また、取得部１２は、ユーザによるコンテンツを表示させる表示装置の指定を端末Ｔから取得することとしてもよい。
【００７９】
また、取得部１２は、コンテンツを表示させる表示装置の指定に関する履歴を参照して、当該コンテンツと同種のコンテンツを表示させる表示装置として最も多く指定された表示装置を、当該コンテンツを表示させる表示装置として選択することとしてもよい。表示装置の指定に関する履歴は、当該ユーザの履歴であってもよいし、他のユーザの履歴を含んでもよい。
【００８０】
次に、図１２を参照して、本実施形態の表示制御方法について説明する。図１２は、表示制御システム１における表示制御方法の処理内容の例を示すフローチャートである。
【００８１】
まず、表示制御装置１０は、例えば商品一覧のようなコンテンツを表示装置Ｄ１（デジタルサイネージ）に表示する（Ｓ１）。続いて、端末Ｔからコンテンツの表示を含む処理のリクエストが端末Ｔから送信されると、受付部１１は、リクエストを受け付ける（Ｓ２）。
【００８２】
取得部１２は、ステップＳ２において受け付けられたリクエストに係るコンテンツの設定情報を参照する（Ｓ３）。そして、取得部１２は、設定情報に基づいて、リクエストに係るコンテンツをデジタルサイネージＤ１及び端末のディスプレイＤ２のいずれに表示させるかを判断する（Ｓ４）。
【００８３】
デジタルサイネージＤ１に表示させると判断された場合には（Ｓ５）、処理はステップＳ６に進められる。一方、デジタルサイネージＤ１に表示させると判断されなかった場合には（Ｓ５）、処理はステップＳ７に進められる。
【００８４】
ステップＳ６において、表示制御部１３は、コンテンツをデジタルサイネージＤ１に表示させる（Ｓ６）。また、ステップＳ７において、表示制御部１３は、コンテンツを端末ＴのディスプレイＤ２に表示させる（Ｓ７）。
【００８５】
次に、本実施形態の表示制御システムの変形例を説明する。図１３は、表示制御システム１Ａの装置構成を示す図である。表示制御システム１Ａは、端末Ｔと通信可能なグラス型ディスプレイＤ３（第３の表示装置）を含む点において、表示制御システム１と異なる。
【００８６】
グラス型ディスプレイＤ３は、端末Ｔと、例えば、ブルートゥース（Ｂｌｕｅｔｏｏｔｈ）（登録商標）等の近距離無線通信により通信可能に接続されている。これにより、端末Ｔが有する情報及び端末Ｔに提供された情報をグラス型ディスプレイＤ３に表示させることが可能である。グラス型ディスプレイＤ３は、それを所持するユーザのみが視認可能であるので、端末ＴのディスプレイＤ２に情報を表示する場合と比較して、情報の秘匿性を高めることができる。
【００８７】
例えば、秘匿性を要することにより特別な表示をさせるべき特別コンテンツがグラス型ディスプレイＤ３に表示される処理の例を説明する。
【００８８】
ユーザＣにより端末Ｔに対して商品の購入のための操作が行われると、ユーザＣの端末Ｔのリクエスト送信部３３は、商品の購入処理のリクエストを、表示制御装置１０に送信する。
【００８９】
ここで、ユーザＣが電子商取引サーバ５０により構成される電子商取引サイトに未ログインである場合には、ログインのための認証処理を実施する必要がある。まず、表示制御装置１０の受付部１１が、端末Ｔからの商品の購入処理のリクエストを受け付ける。このリクエストがユーザＣからのものであり、リクエストの内容が商品の購入処理であって、認証処理を必要とするので、取得部１２は、設定情報記憶部１５に設定された設定情報（図６参照）において、「ユーザＣ」からの「認証画面」には２＋（ｐｒｉｖａｔｅ＋）が設定されているので、ユーザＣからのリクエストに係る認証画面が特別コンテンツであることを判断する。即ち、取得部１２は、認証画面を、ユーザＣの端末ＴのディスプレイＤ２またはグラス型ディスプレイＤ３に表示させることを判断する。
【００９０】
表示制御部１３は、ユーザＣの端末Ｔに、グラス型ディスプレイＤ３の有無に応じて、認証画面をディスプレイＤ２またはグラス型ディスプレイＤ３に表示させる表示制御を実施する。即ち、端末Ｔと通信可能なグラス型ディスプレイＤ３が存在する場合には、表示制御部１３は、認証画面を、グラス型ディスプレイＤ３に表示させる旨の指示情報と共に端末Ｔに送信する。端末Ｔは、受信した認証画面をグラス型ディスプレイＤ３に出力し、表示させる。一方、端末Ｔと通信可能なグラス型ディスプレイＤ３が存在しない場合には、表示制御部１３は、認証画面を、ディスプレイＤ２に表示させる旨の指示情報と共に端末Ｔに送信する。端末Ｔは、受信した認証画面をディスプレイＤ２に表示させる。
【００９１】
なお、端末Ｔが、グラス型ディスプレイＤ３の有無に応じて、認証画面を表示させる表示装置を制御してもよい。即ち、表示制御部１３は、認証画面を、送信するコンテンツが特別コンテンツである旨を示す情報と共に、端末Ｔに送信する。端末Ｔは、端末Ｔと通信可能なグラス型ディスプレイＤ３が存在する場合には、認証画面をグラス型ディスプレイＤ３に表示させる。一方、端末Ｔと通信可能なグラス型ディスプレイＤ３が存在しない場合には、端末Ｔは、受信した認証画面をディスプレイＤ２に表示させる。
【００９２】
なお、本実施形態の変形例では、特別コンテンツを表示させる表示装置（第３の表示装置）がグラス型ディスプレイである場合を説明したが、端末のディスプレイより秘匿性を高められる表示装置であれば、グラス型には限定されない。第３の表示装置は、例えば、腕時計型のディスプレイ等であってもよい。
【００９３】
次に、本実施形態の変形例である表示制御システム１Ａにおける表示制御方法について説明する。図１４は、表示制御システム１Ａにおける表示制御方法の処理内容の例を示すフローチャートである。
【００９４】
ステップＳ１１〜Ｓ１６の処理は、図１２に示したフローチャートにおけるステップＳ１〜Ｓ６の処理と同様である。
【００９５】
ステップＳ１７において、取得部１２は、設定情報を参照して、リクエストに係るコンテンツが特別コンテンツであるか否かを判断する（Ｓ１７）。具体的には、取得部１２は、リクエストに係るコンテンツに設定情報「２＋（ｐｒｉｖａｔｅ＋）」が設定されているか否かを判断する。さらに、取得部１２は、端末Ｔと通信可能なグラス型ディスプレイが存在するか否かを判断する（Ｓ１７）。リクエストに係るコンテンツが特別コンテンツであり、且つ、グラス型ディスプレイが存在すると判断された場合には、処理はステップＳ１８に進められる。一方、リクエストに係るコンテンツが特別コンテンツでない、または、グラス型ディスプレイが存在しない場合には、処理はステップＳ１９に進められる。
【００９６】
ステップＳ１８において、表示制御部１３は、コンテンツをグラス型ディスプレイＤ３に表示させる（Ｓ１８）。一方、ステップＳ１９において、表示制御部１３は、コンテンツを端末ＴのディスプレイＤ２に表示させる（Ｓ１９）。
【００９７】
次に、図１５を参照して、コンピュータを表示制御システム１，１Ａとして機能させるための表示制御プログラムを説明する。表示制御プログラムｐ１は、メインモジュールｍ１０、受付モジュールｍ１１、取得モジュールｍ１２及び表示制御モジュールｍ１３を備える。
【００９８】
メインモジュールｍ１０は、表示制御処理を統括的に制御する部分である。受付モジュールｍ１１、取得モジュールｍ１２及び表示制御モジュールｍ１３を実行することにより実現される機能はそれぞれ、図２に示される表示制御装置１０の受付部１１、取得部１２及び表示制御部１３の機能と同様である。
【００９９】
表示制御プログラムｐ１は、例えば、ＣＤ−ＲＯＭやＤＶＤ−ＲＯＭまたは半導体メモリ等の記憶媒体ｄ１によって提供される。また、表示制御プログラムｐ１は、搬送波に重畳されたコンピュータデータ信号として通信ネットワークを介して提供されてもよい。
【０１００】
以上説明した本実施形態の表示制御システム１，１Ａ、表示制御方法及び表示制御プログラムｐ１によれば、ユーザの端末からのリクエストに係るコンテンツが、第１及び第２の表示装置のいずれに表示させるかに関する情報が取得され、取得された情報に基づいて、第１及び第２の表示装置のいずれかにそのコンテンツが表示される。これにより、適切な所定条件を設定しておくことにより、他のユーザに見られたくないコンテンツを第１の表示装置ではなく、第２の表示装置に表示させることができる。従って、他のユーザに見られたくないコンテンツを、他のユーザに見られないようにすることが可能となる。
【０１０１】
以上、本発明をその実施形態に基づいて詳細に説明した。しかし、本発明は上記実施形態に限定されるものではない。本発明は、その要旨を逸脱しない範囲で様々な変形が可能である。
【０１０２】
実施形態では、受付部１１、取得部１２及び表示制御部１３が表示制御装置１０に構成されることとしたが、これらの機能部１１〜１３がそれぞれ通信可能な別の装置に構成されることとしてもよい。
【符号の説明】
【０１０３】
１，１Ａ…表示制御システム、Ｄ１…表示装置（デジタルサイネージ）、Ｄ２…ディスプレイ、Ｄ３…グラス型ディスプレイ、１０…表示制御装置、１１…受付部、１２…取得部、１３…表示制御部、１５…設定情報記憶部、Ｔ…端末、３１…指示入力受付部、３２…設定情報送信部、３３…リクエスト送信部、３４…コンテンツ受信部、３５…表示制御部、５０…電子商取引サーバ、ｄ１…記憶媒体、ｐ１…表示制御プログラム、ｍ１０…メインモジュール、ｍ１１…受付モジュール、ｍ１２…取得モジュール、ｍ１３…表示制御モジュール。
【図１】
2017056322.tif 000003
【図２】
2017056322.tif 000004
【図３】
2017056322.tif 000005
【図４】
2017056322.tif 000006
【図５】
2017056322.tif 000007
【図６】
2017056322.tif 000008
【図７】
2017056322.tif 000009
【図８】
2017056322.tif 000010
【図９】
2017056322.tif 000011
【図１０】
2017056322.tif 000012
【図１１】
2017056322.tif 000013
【図１２】
2017056322.tif 000014
【図１３】
2017056322.tif 000015
【図１４】
2017056322.tif 000016
【図１５】
2017056322.tif 000017
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
複数のユーザにより視認可能に設けられた第１の表示装置を少なくとも含み、前記複数のユーザのうちの一のユーザが操作する端末に設けられた第２の表示装置及び前記第１の表示装置にコンテンツを表示させる表示制御を実施する表示制御システムであって、
前記端末からの、コンテンツの表示を含む処理のリクエストを受け付ける受付手段と、
前記受付手段により受け付けられたリクエストに係るコンテンツを前記第１の表示装置及び前記第２の表示装置のいずれに表示させるかに関する情報を所定条件に基づいて取得する取得手段と、
前記取得手段により取得された、前記コンテンツを表示させる表示装置に関する情報に基づいて、前記第１の表示装置及び前記第２の表示装置のいずれかの表示装置に前記コンテンツを表示させる表示制御手段と、を備え、
前記表示制御手段は、
前記リクエストが受け付けられる前における前記端末の操作状況を前記第１の表示装置に表示させ、
前記受付手段により前記リクエストが受け付けられた後に、前記取得手段により取得された情報に基づいて前記リクエストに係るコンテンツを前記第２の表示装置に表示させる場合に、前記端末の前記操作状況に代えて、前記操作状況とは無関係なダミーの操作状況を示す情報を前記第１の表示装置に表示させる、
表示制御システム。
【請求項２】
前記受付手段は、前記端末からの前記リクエストを第１の通信方式により受け付け、
前記表示制御手段は、前記コンテンツを前記第２の表示装置で表示させる場合に、前記第１の通信方式とは異なる第２の通信方式で、前記コンテンツを前記端末に送信する、
請求項１に記載の表示制御システム。
【請求項３】
前記取得手段は、前記コンテンツを前記第１の表示装置及び前記第２の表示装置のいずれに表示させるかをコンテンツごとに判断可能な設定情報を参照して、前記受付手段により受け付けられたリクエストに係るコンテンツを前記第１の表示装置及び前記第２の表示装置のいずれに表示させるかに関する情報を取得する、
請求項１または２に記載の表示制御システム。
【請求項４】
前記第１の表示装置に複数の商品の情報が表示されている場合において、前記受付手段は、前記複数の商品のうちの一の商品に関する情報を含む商品ページの表示のリクエストを取得し、
前記設定情報において、各商品に関する情報を含む商品ページを前記第２の表示装置に表示させることが設定されており、
前記取得手段は、前記一の商品に関する情報を含む商品ページを、前記第２の表示装置に表示させることを示す情報を取得する、
請求項３に記載の表示制御システム。
【請求項５】
前記受付手段は、商品の購入に関するリクエストを取得し、
前記設定情報において、商品の購入処理における、ユーザを識別可能な情報を入力させる入力画面を前記第２の表示装置に表示させることが設定されており、
前記取得手段は、ユーザを識別可能な情報を該ユーザに入力させるための入力画面を、前記第２の表示装置に表示させることを示す情報を取得する、
請求項３または４に記載の表示制御システム。
【請求項６】
前記設定情報において、特別な表示をさせる特別コンテンツについて、前記端末を介した表示制御が可能な第３の表示装置が存在する場合には前記特別コンテンツを該第３の表示装置に表示させ、該第３の表示装置が存在しない場合には前記特別コンテンツを前記第２の表示装置に表示させることが設定されており、
前記取得手段は、前記受付手段により取得されたリクエストに係るコンテンツが前記特別コンテンツに該当する場合には、該コンテンツを第２の表示装置または第３の表示装置に表示させることを示す情報を取得し、
前記表示制御手段は、前記端末に、前記第３の表示装置の有無に応じて、前記コンテンツを第２の表示装置または第３の表示装置に表示させる、
請求項３〜５のいずれか一項に記載の表示制御システム。
【請求項７】
複数のユーザにより視認可能に設けられた第１の表示装置を少なくとも含み、前記複数のユーザのうちの一のユーザが操作する端末に設けられた第２の表示装置及び前記第１の表示装置にコンテンツを表示させる表示制御を実施する表示制御システムにおける表示制御方法であって、
前記端末の操作状況を前記第１の表示装置に表示させるステップと、
前記端末からの、コンテンツの表示を含む処理のリクエストを受け付ける受付ステップと、
前記受付ステップにおいて受け付けられたリクエストに係るコンテンツを前記第１の表示装置及び前記第２の表示装置のいずれに表示させるかに関する情報を所定条件に基づいて取得する取得ステップと、
前記取得ステップにおいて取得された、前記コンテンツを表示させる表示装置に関する情報に基づいて、前記第１の表示装置及び前記第２の表示装置のいずれかの表示装置に前記コンテンツを表示させる表示制御ステップと、
を有し、
前記表示制御ステップにおいて、前記受付ステップにおいて前記リクエストが受け付けられた後に、前記取得ステップにおいて取得された情報に基づいて前記リクエストに係るコンテンツを前記第２の表示装置に表示させる場合に、前記端末の前記操作状況に代えて、前記操作状況とは無関係なダミーの操作状況を示す情報を前記第１の表示装置に表示させる、
表示制御方法。
【請求項８】
コンピュータを、複数のユーザにより視認可能に設けられた第１の表示装置を少なくとも含み、前記複数のユーザのうちの一のユーザが操作する端末に設けられた第２の表示装置及び前記第１の表示装置にコンテンツを表示させる表示制御を実施する表示制御システムとして機能させる表示制御プログラムであって、
前記端末からの、コンテンツの表示を含む処理のリクエストを受け付ける受付手段、
前記受付手段により受け付けられたリクエストに係るコンテンツを前記第１の表示装置及び前記第２の表示装置のいずれに表示させるかに関する情報を所定条件に基づいて取得する取得手段、及び
前記取得手段により取得された、前記コンテンツを表示させる表示装置に関する情報に基づいて、前記第１の表示装置及び前記第２の表示装置のいずれかの表示装置に前記コンテンツを表示させる表示制御手段、
として機能させ、
前記表示制御手段は、
前記リクエストが受け付けられる前における前記端末の操作状況を前記第１の表示装置に表示させ、
前記受付手段により前記リクエストが受け付けられた後に、前記取得手段により取得された情報に基づいて前記リクエストに係るコンテンツを前記第２の表示装置に表示させる場合に、前記端末の前記操作状況に代えて、前記操作状況とは無関係なダミーの操作状況を示す情報を前記第１の表示装置に表示させる、
表示制御プログラム。
【請求項９】
複数のユーザにより視認可能に設けられた第１の表示装置を少なくとも含み、前記複数のユーザのうちの一のユーザが操作する端末に設けられた第２の表示装置及び前記第１の表示装置にコンテンツを表示させる表示制御を実施する表示制御システムであって、
前記端末からの、コンテンツの表示を含む処理のリクエストを受け付ける受付手段と、
前記受付手段により受け付けられたリクエストに係るコンテンツを前記第１の表示装置及び前記第２の表示装置のいずれに表示させるかに関する情報を所定条件に基づいて取得する取得手段と、
前記取得手段により取得された、前記コンテンツを表示させる表示装置に関する情報に基づいて、前記第１の表示装置及び前記第２の表示装置のいずれかの表示装置に前記コンテンツを表示させる表示制御手段と、を備え、
前記取得手段は、各コンテンツを前記第１の表示装置及び前記第２の表示装置のいずれに表示させるかをユーザ毎に判断可能な設定情報を参照して、前記受付手段により受け付けられたリクエストに係るコンテンツを前記第１の表示装置及び前記第２の表示装置のいずれに表示させるかに関する情報を取得する、
表示制御システム。
【請求項１０】
複数のユーザにより視認可能に設けられた第１の表示装置を少なくとも含み、前記複数のユーザのうちの一のユーザが操作する端末に設けられた第２の表示装置及び前記第１の表示装置にコンテンツを表示させる表示制御を実施する表示制御システムであって、
前記端末からの、コンテンツの表示を含む処理のリクエストを受け付ける受付手段と、
前記受付手段により受け付けられたリクエストに係るコンテンツを前記第１の表示装置及び前記第２の表示装置のいずれに表示させるかに関する情報を所定条件に基づいて取得する取得手段と、
前記取得手段により取得された、前記コンテンツを表示させる表示装置に関する情報に基づいて、前記第１の表示装置及び前記第２の表示装置のいずれかの表示装置に前記コンテンツを表示させる表示制御手段と、を備え、
前記取得手段は、コンテンツを表示させる表示装置の指定の履歴に関する情報を参照して、前記受付手段により受け付けられたリクエストに係るコンテンツを前記第１の表示装置及び前記第２の表示装置のいずれに表示させるかに関する情報を取得する、
表示制御システム。
【国際調査報告】
2017056322.tif 000018
2017056322.tif 000019
2017056322.tif 000020
2017056322.tif 000021